(57)【要約】【課題】施工時における水分供給作業が容易で、しかも施工コストが安価な植物栽培地の施工方法を提供する。【解決手段】植物栽培地設置場所１１に、ウレタンフォームのチップをバインダーで結合したウレタン樹脂マット１４を載置し、前記ウレタン樹脂マット１４に給水して含水させ、次いで前記ウレタン樹脂マット１４上に盛り土を行う植物栽培地の施工方法において、前記植物栽培地設置場所１１のウレタン樹脂マット１４の表面に界面活性剤水溶液１５を散布して、前記ウレタン樹脂マット１４の表面に界面活性剤を付着させ、その後に前記給水作業を行う。このようにすると、前記ウレタン樹脂マット１４表面に付着している界面活性剤によって前記水分がウレタンマット表面と馴染み、水分が弾かれることなく、徐々にウレタンマット１４に含水される。【選択図】　　　　図１
2004097002.tif 000002
【特許請求の範囲】
【請求項１】
植物栽培地設置場所に、ウレタンフォームのチップをバインダーで結合したウレタン樹脂マットを載置し、前記ウレタン樹脂マットに給水して含水させ、次いで前記ウレタン樹脂マット上に盛り土を行う植物栽培地の施工方法において、
前記植物栽培地設置場所のウレタン樹脂マット表面に界面活性剤水溶液を散布し、その後に前記給水を行うことを特徴とする植物栽培地の施工方法。
【発明の詳細な説明】
【０００１】
【発明の属する技術分野】
この発明は、屋上等に植物栽培地を施工する方法に関する。
【０００２】
【従来の技術】
従来、屋上のような土壌の無いコンクリート上に植物栽培地を設ける方法として、ウレタンフォームのチップをバインダーで結合したウレタン樹脂マット（通称リボンデッドフォーム）を植物栽培地設置場所に載置し、次に前記ウレタン樹脂マットに給水して含水させ、その後に前記ウレタン樹脂マット上に盛り土を行う施工方法がある。前記ウレタン樹脂マットへの含水は、植物の生長に必要な水分がコンクリート上で不足しないよう保水のために行われる。また、前記ウレタンフォームチップは、ウレタンフォーム製品の廃棄物やウレタンフォーム製品の製造時に生じた端材を粉砕あるいは裁断したものが多用されている。
【０００３】
【発明が解決しようとする課題】
しかし、前記ウレタン樹脂マットを構成するウレタンフォームは疎水性であるため、単に前記ウレタン樹脂マットに散水しただけでは、前記ウレタン樹脂マットに含水させることができなかった。そこで、従来では、作業者がウレタン樹脂マットを上から踏みつけながらウレタン樹脂マットに散水することによって、前記ウレタン樹脂マットに対する給水作業を行っており、作業者に加わる負担が大きいのみならず、施工コストが嵩む問題もあった。
【０００４】
この発明は、前記の問題に鑑みなされたもので、施工が容易で、しかも安価な植物栽培地の施工方法を提供する。
【０００５】
【課題を解決するための手段】
この発明は、植物栽培地設置場所に、ウレタンフォームのチップをバインダーで結合したウレタン樹脂マットを載置し、前記ウレタン樹脂マットに給水して含水させ、次いで前記ウレタン樹脂マット上に盛り土を行う植物栽培地の施工方法において、前記植物栽培地設置場所のウレタン樹脂マット表面に界面活性剤水溶液を散布し、その後に前記給水を行うことを特徴とする。
【０００６】
【発明の実施の形態】
以下添付の図面に従ってこの発明を詳細に説明する。図１はこの発明に係る植物栽培地の施工方法についての一実施形態を示す作業工程図である。図示の実施形態においては、（Ａ）防根シート敷設、（Ｂ）ウレタン樹脂マット載置、（Ｃ）界面活性剤水溶液散布、（Ｄ）給水、（Ｅ）盛り土作業からなる。
【０００７】
（Ａ）防根シート敷設作業では、ビルの屋上等コンクリート基盤等に設けられた植物栽培地設置場所１１に、可撓性を有するプラスチックシート等からなる防根シート１２を敷設する。前記防根シートは、この植物栽培地に植えられた植物の根が、コンクリート基盤等に侵入してひび割れ等を起こすのを防止するために、適宜敷設されるものであり、一枚ものに限られず、複数枚を縁で重ねて使用してもよい。また前記植物栽培地設置場所１１は、屋上の一部に設けられるような場合には、ブロック等の区画部材１３で所要の大きさに区画形成される。
【０００８】
（Ｂ）ウレタン樹脂マット載置作業では、前記防根シート１２上にウレタン樹脂マット１４を載置する。前記ウレタン樹脂マット１４は、ウレタンチップをバインダーと混合し、その混合物を成形型に投入して結合させた、リボンデッドフォームと称される公知のものが好適に使用できる。この例では、前記ウレタン樹脂マット１４として、ウレタンチップが結合して長方形の板状にされたものが所要数使用されている。前記ウレタンチップとしては、ウレタンフォーム製品の廃棄物やウレタンフォーム製造時に生じた端材を粉砕や裁断によってチップ（小片）にしたものが、資源の有効活用の点で好ましいが、ウレタンフォーム製品の廃棄物や端材からなるものに限られない。また、前記ウレタン樹脂マットの厚みは、適宜の厚みとされるが、例として２ｃｍ〜１０ｃｍ程度の厚みを挙げる。
【０００９】
前記ウレタン樹脂マットの載置作業時、あるいは作業後に排水パイプ（図示せず）を配設する作業が行われることもある。前記排水パイプとしては、側面に穴が貫通したものなど、この植物栽培地に溜まった余剰の水を集めて排水できるものが用いられる。前記排水パイプは、前記ウレタン樹脂マット１４間に配置されたり、前記ウレタン樹脂マット１４の上面に配置されたりする。また、前記排水パイプは、長さ方向に勾配を設けて一端をこの植物栽培地の外部に位置させ、それによって効率よく排水が行えるようにされる。
【００１０】
（Ｃ）界面活性剤水溶液散布作業では、前記ウレタン樹脂マット１４の表面に界面活性剤水溶液１５を散布し、前記ウレタン樹脂マット１４の表面に親水性を付与する。界面活性剤としては、イオン系（陰イオン系、陽イオン系、両性イオン系）、非イオン系のいずれでもよい。陰イオン系（アニオン系）の界面活性剤としては、脂肪酸系、アルキルベンゼン系、アルコール系、アルファオレフィン系等があり、陽イオン系（カチオン系）の界面活性剤としては、アミノ塩系、アンモニウム塩系等があり、両性イオン系の界面活性剤としては、カルボン酸系、硫酸エステル系、スルフォン酸系、リン酸エステル系等があり、非イオン系（ノニオン系）の界面活性剤としては、脂肪酸系、高級アルコール系、含窒素系等がある。
【００１１】
特にこの発明では、植物内の毛細管現象による水分吸収を妨げにくい界面活性剤が、より好ましい。前記植物の水分吸収を妨げにくい界面活性剤としては、▲１▼低濃度でゲル化を生じるＣＭＣ（臨界ミセル濃度）の低い界面活性剤、▲２▼親水性と疎水性の比率を表すＨＬＢ指標の低い（親水性が低い）界面活性剤が挙げられる。▲１▼の界面活性剤としては、ステアリン酸ナトリウム、パルミチン酸ナトリウム、ミリスチン酸ナトリウム、ステアリル硫酸エステルナトリウム、パルミチル硫酸エステルナトリウム、ミリスチル硫酸エステルナトリウム等の金属石鹸、あるいは高分子量の疎水基を備えた石油スルホネート等を挙げることができる。また▲２▼の界面活性剤としては、多価アルコールエステル（ソルビタンオレイン酸トリエステル、モノグリセライド）、分子量２００のポリエチレングリコールステアリン酸ジエステル、分子量２００のポリエチレングリコールオレイン酸ジエステル、高級アルコール付加物（オレイルアルコールＥＯ２モル付加物）等を挙げることができる。さらに、末端封鎖型エステル系非イオン界面活性剤である天然油脂由来のポリオキシアルキレン脂肪酸エステルもある。
【００１２】
前記界面活性剤の濃度は、イオン系の場合には１％以上とされ、特には１％〜５％が好適である。１％未満では、前記ウレタン樹脂マット１４に対する給水作業を容易にする効果が充分でなく、また、過剰に配合しても前記給水作業に著しい向上効果が得られないため、前記範囲が好ましい。それに対して非イオン系の場合には０．１％以上とされ、特には０．１％〜３％が好適である。この場合の理由は前記イオン系の場合と同様である。前記界面活性剤水溶液１５の散布は、じょうろ、スプレー等適宜の方法で行われる。また散布量は適宜でよいが、前記ウレタン樹脂マット１４の上面全体に界面活性剤水溶液が行き渡るように散布するのが好ましい。
【００１３】
（Ｄ）給水作業では、前記界面活性剤水溶液散布後のウレタン樹脂マット１４表面に散水等で水１６を供給する。その際、前記ウレタン樹脂マット１４の表面には、前記界面活性剤が付着しているため、前記ウレタン樹脂マット１４の表面と水分が馴染み、前記ウレタン樹脂マット１４に容易に含水される。給水量は、適宜とされる。
【００１４】
（Ｅ）盛り土作業では、前記給水後のウレタン樹脂マット１４上に、土壌材料１７、例えば土を、あるいは土に砂、腐葉土、バーミキュライト等を適宜混合したものを所要厚みで堆積する。これによって植物栽培地の施工が終了する。その後、所望の植物が植え付けられる。
【００１５】
【実施例】
ビルの屋上に２×５ｍの植物栽培地をブロックで区画形成し、前記植物栽培地に厚み２ｍｍの塩化ビニル樹脂シートを防根シートとして敷設した。前記防根シート上には、５００×１０００×５０ｍｍのウレタン樹脂マット（イノアック製のミクセル）を２０枚並べて敷き詰めた。その後、前記ウレタン樹脂マット表面に、ライオン株式会社製レオファットＯＣ−０５０３Ｍ（末端封鎖型エステル系非イオン界面活性剤であるポリオキシアルキレン脂肪酸エステル）を１０００倍に水で希釈して０．１％にした界面活性剤水溶液をじょうろで、満遍なく散布した。３０分後、散水ホースを用いて前記ウレタン樹脂マット上に満遍なく給水した。ウレタン樹脂マット上に給水された水は、弾かれることなくウレタン樹脂マット内に徐々に浸透していった。その後、培養土を厚み５０ｍｍで堆積させた。
【００１６】
【発明の効果】
以上図示し説明したように、この発明の植物栽培地の施工方法によれば、ウレタン樹脂マット表面に界面活性剤が付着した状態でウレタン樹脂マット表面に給水を行うため、本来疎水性のウレタン樹脂マットで有るにもかかわらず、ウレタン樹脂マットに容易に含水させることができる。その結果、従来では作業者がウレタン樹脂マットを踏みつけながら給水を行わねばならないという、面倒な踏みつけ作業を、この発明では省略でき、作業者の負担を軽減できるのみならず、施工コストを安価にできる。
【図面の簡単な説明】
【図１】この発明に係る植物栽培地の施工方法についての一実施形態を示す作業工程図である。
【符号の説明】
１１　植物栽培地
１２　防根シート
１３　区画部材
１４　ウレタン樹脂マット
１５　界面活性剤水溶液
１６　水
１７　土壌材料
【図１】
2004097002.tif 000003